(57)【要約】【課題】  ディスポーザブル安全注射器の提供。【解決手段】  バレル、ニードルユニット及びスリーブユニットを具え、該スリーブユニットは外周にＴ或いはＬ形閉鎖滑り溝を具えた中空管体とされ、該ニードルユニットのニードルシート外周に凸部があり、ニードルユニット後端が直接各種バレル前端に組みつけられ、スリーブユニットが嵌合される時、ニードルユニットの凸部がスリーブユニットの滑り溝中を移動し、これにより、もとの注射器構造を変更することなく、使用済みのニードルユニットをスリーブユニットの閉鎖溝内にロックでき、且つ使用済みバレルをニードルユニットより引き離してバレルと完全に分離でき、使用上の安全性を確保し使用済みのニードルユニットが再度使用されるのを防止する。【選択図】        図１
2006255272.tif 000002
【特許請求の範囲】
【請求項１】
プランジャを具えたバレル、バレルに固定されるニードルユニット及びバレルとニードルユニット外周に嵌合されるスリーブユニットを具えたディスポーザブル安全注射器において、
該ニードルユニットがニードルとニードルシートを具え、該ニードルシートの外周に凸部が設けられ、
該スリーブユニットは中空管体とされ、その外周に長い滑り溝が設けられ、該滑り溝が直向部と横向部を具え、該直向部が前端ストッパ部、後端折り曲げ部を具え、該横向部が第１側に設けられた方形の位置決め凹部、第２側に設けられたロック溝、及びロック溝の進入端前方に設けられた制限部を具え、該制限部が細条部品とされてスリーブユニットの本体材料と一体に形成されたことを特徴とする、ディスポーザブル安全注射器。
【請求項２】
請求項１記載のディスポーザブル安全注射器において、係止凸部が前が低く後ろが高く形成され、その上面が略Ｄ形とされて凸部が前記ロック溝に容易に係止されることを特徴とする、ディスポーザブル安全注射器。
【請求項３】
請求項１記載のディスポーザブル安全注射器において、凸部がＤ形凸部とされ、該Ｄ形凸部の一側が円弧部でもう一側が平直部とされたことを特徴とする、ディスポーザブル安全注射器。
【請求項４】
請求項１記載のディスポーザブル安全注射器において、凸部の上面後側が制限部の底端高さより高く、ゆえに凸部がロック溝に進入すると制限部の阻止を受け、凸部の制限部からの脱出が防止されることを特徴とする、ディスポーザブル安全注射器。
【請求項５】
請求項１記載のディスポーザブル安全注射器において、凸部が制限部を超えてロック溝にロックされる時、凸部がロック溝にロックされることでスリーブユニットの再移動不能となり、これによりニードルユニットがスリーブユニット内に縮入して係止され不動とされ、最後にバレルがニードルユニットの後端より抜き取られてバレルとロック溝内にロックされたニードルユニットが分離されることを特徴とする、ディスポーザブル安全注射器。
【発明の詳細な説明】
【技術分野】
【０００１】
本発明はディスポーザブル安全注射器に係り、特に使用済みのニードルが医療関係者を傷つけるのを防止し、並びに使用済みのニードルユニットが再度使用されるのを防止するディスポーザブル安全注射器に関する。
【背景技術】
【０００２】
一般に伝統的な安全注射器の構造には例えば特許文献１に記載のものがあり、それは、バレル（ｂａｒｒｅｌ）１０、プランジャ（ｐｌｕｎｇｅｒ）２０及びスリーブ（ｓｌｅｅｖｅ）３０を具え、その主要な特徴は、バレル１０の前端の凸部（ｔａｂ）１３が凸設され、並びにスリーブ３０の周壁に長Ｕ形案内溝３３が設けられ、この案内溝３３の溝底のストッパ部３５を利用して凸部１３を係止することにある。しかし実際の使用過程で、この構造のスリーブ３０の安全性には問題がある。その理由は、スリーブ３０がプラスチック材料を射出成形してなり、ストッパ部３５はプラスチック材料自身の弾性を有し、ストッパ部３５が凸部１３に対して完全なロックが行なえず、凸部１３が再度移動する恐れがあり、その安全性に問題が生じることにある。さらに、バレル１０は凸部１３を具備しこのため注射器が周知の国際標準規格に準じず、このため金型製造コストが高くつき、且つ同型製品と相容れず、バレル１０とプランジャ２０間の操作の滑らかさ及び注射液の水密構造性及び使用上の安全性のいずれにも問題があり、改善が求められている。
【０００３】
【特許文献１】米国特許第６０９３１７０号明細書
【発明の開示】
【発明が解決しようとする課題】
【０００４】
本発明の主要な目的は、ディスポーザブル安全注射器を提供することにあり、それは使用済みのニードルをスリーブユニット内に縮入させられ、並びにニードルシートの凸部をニードルスリーブのロック溝内にロックし、バレルを引き出した後に、ニードルユニットがスリーブユニット内に残留し、バレルとニードルユニットを分離でき、即ちニードルを一旦縮入、ロックした後に再度どの方向にも引き出して使用することはできず、安全性を確保できるものとする。
【０００５】
本発明の次の目的は、ディスポーザブル安全注射器を提供することにあり、それは、凸部を具えたニードルユニットによりニードルシートを伝統的なバレル前端に緊密に組み合わせることができ、伝統的なバレルを改変せずに、直接本発明のスリーブユニットに嵌合でき、広い相容性と適用性を具備するものとする。
【課題を解決するための手段】
【０００６】
請求項１の発明は、プランジャを具えたバレル、バレルに固定されるニードルユニット及びバレルとニードルユニット外周に嵌合されるスリーブユニットを具えたディスポーザブル安全注射器において、
該ニードルユニットがニードルとニードルシートを具え、該ニードルシートの外周に凸部が設けられ、
該スリーブユニットは中空管体とされ、その外周に長い滑り溝が設けられ、該滑り溝が直向部と横向部を具え、該直向部が前端ストッパ部、後端折り曲げ部を具え、該横向部が第１側に設けられた方形の位置決め凹部、第２側に設けられたロック溝、及びロック溝の進入端前方に設けられた制限部を具え、該制限部が細条部品とされてスリーブユニットの本体材料と一体に形成されたことを特徴とする、ディスポーザブル安全注射器としている。
請求項２の発明は、請求項１記載のディスポーザブル安全注射器において、係止凸部が前が低く後ろが高く形成され、その上面が略Ｄ形とされて凸部が前記ロック溝に容易に係止されることを特徴とする、ディスポーザブル安全注射器としている。
請求項３の発明は、請求項１記載のディスポーザブル安全注射器において、凸部がＤ形凸部とされ、該Ｄ形凸部の一側が円弧部でもう一側が平直部とされたことを特徴とする、ディスポーザブル安全注射器としている。
請求項４の発明は、請求項１記載のディスポーザブル安全注射器において、凸部の上面後側が制限部の底端高さより高く、ゆえに凸部がロック溝に進入すると制限部の阻止を受け、凸部の制限部からの脱出が防止されることを特徴とする、ディスポーザブル安全注射器としている。
請求項５の発明は、請求項１記載のディスポーザブル安全注射器において、凸部が制限部を超えてロック溝にロックされる時、凸部がロック溝にロックされることでスリーブユニットの再移動不能となり、これによりニードルユニットがスリーブユニット内に縮入して係止され不動とされ、最後にバレルがニードルユニットの後端より抜き取られてバレルとロック溝内にロックされたニードルユニットが分離されることを特徴とする、ディスポーザブル安全注射器としている。
【発明の効果】
【０００７】
本発明のディスポーザブル安全注射器は、バレル、ニードルユニット及びスリーブユニットを具え、該スリーブユニットは外周にＴ或いはＬ形閉鎖滑り溝を具えた中空管体とされ、該ニードルユニットのニードルシート外周に凸部があり、ニードルユニット後端が直接各種バレル前端に組みつけられ、スリーブユニットが嵌合される時、ニードルユニットの凸部がスリーブユニットの滑り溝中を移動し、これにより、もとの注射器構造を変更することなく、使用済みのニードルユニットをスリーブユニットの閉鎖溝内にロックでき、且つ使用済みバレルをニードルユニットより引き離してバレルと完全に分離でき、使用上の安全性を確保し使用済みのニードルユニットが再度使用されるのを防止する。
【発明を実施するための最良の形態】
【０００８】
本発明のディスポーザブル安全注射器の好ましい実施例は図１から図４に示されるように、皮下注射を行なえる伝統的なバレル５０及びそのプランジャ５２、本発明の新規なニードルユニット４０及びニードルユニット４０外周に嵌合されるスリーブユニット２０を具えている。そのうち、ニードルユニット４０のニードルシート４２は緊密にバレル５０の前端の小径部５１に嵌合され、該ニードルユニット４０のニードルシート４２外周に係止凸部４４が設けられている。該係止凸部４４はスリーブユニット２０に設けられたロック溝２２５と相互にロック可能な任意の形状とされ、本発明の実施例によると、図３に示されるように、該係止凸部４４は前が低く後ろが高く（係止方向の前後順から言って）形成され、且つ上面から見て、その形状は英文字のＤに類似し、係止凸部４４がスリーブユニット２０内に取り付けやすいものとされ、また上述のロック溝２２５内にロックされた後に移動させられにくいものとされる。詳しく説明すると、該係止凸部４４はＤ形上面４４１、Ｄ形底面４４２、最高の後端面４４３、最低の前端面４４４、第１側面４４６及び第２側面２２５を具えている。そのうち、該係止凸部４４のもう一つの特徴は底面４４２と上面４４１がＤ形であるほか、後端面４４３の面積が前端面４４４より大きく、第１側面４４５と第２側面４４６の面積は等しく、且つ上面４４１は傾斜面を呈し、即ち比較的高い後端面４４３より低い前端面４４４に向けて傾斜面を呈し、これにより係止凸部４４が順調にロック溝２２５内に係合する（後で詳しく説明する）。
【０００９】
該スリーブユニット２０は、滑り溝２２０を具えた中空管体２１とされ、該管体２１の前端に開孔２１Ｂが設けられてニードルユニット４０のニードル４１の伸縮に供され、該滑り溝２２０の長さは管体２１の長さより小さく、本発明の好ましい実施例では、図１、２に示されるように、該滑り溝はＴ形或いはＬ形の滑り溝２２０とされ、直向部２２１と横向部２２２を具え、そのうち、直向部２２１は前端ストッパ部２２１Ｆと後端折り曲げ部２２１Ｒを具え、該横向部２２２は第１（左）端の方形位置決め凹部２２４、第２（右）端のロック溝２２５及びロック溝２２５の進入端に設けられた制限部２２７を具えている。
【００１０】
これにより、バレル５０前部に嵌合されるニードルユニット４０がスリーブユニット２０に挿入され、且つニードルユニット４０のニードルシートの凸部４４が滑り溝２２０中で案内され移動し、ニードル４１がスリーブユニット２０内で伸縮自在とされる。ニードルユニット４０の凸部４４が新品を使用する前に横向部２２２の位置決め凹部２２４（図３、図７）に位置する時、ニードルユニット４０は使用前に内蔵されて保護され、ニードル４１の尖端４１ａは完全に遮蔽され保護され、これにより独立したニードル安全装置が構成される。
【００１１】
図５、６、及び図７から図９に示されるように、注射を行なう時は、まずニードルユニット４０のニードルシート４２の凸部４４が位置決め凹部２２４より脱出させられ（図８、図１０）、横向部２２２、折り曲げ部２２１Ｒを通り、滑り溝２２０中で前向きに移動する。この時、ニードルユニット４０のニードル４１はスリーブユニット２０の前端開孔２１Ｂより伸出し、凸部３４が前端ストッパ部２２１Ｆに移動して至ると、ニードル４１は完全に露出し、伸縮可能なニードル安全装置が形成され、これは図５、６に示されるとおりである。
【００１２】
注射完了時に、スリーブユニット２０が逆方向に操作されて、凸部３４が滑り溝２２０の前端ストッパ部２２１Ｆ、後端折り曲げ部２２１Ｒ及び横向部２２２に沿って後端の位置決め凹部２２４に至る時、ニードルユニット４０は再度スリーブユニット２０内部に内蔵され、即ち注射器未使用前の図４、７の保護状態に回復する。バレル５０が時計周りに回されて締めつけられる時、凸部４４は位置決め凹部２２４よりロック溝２２５内に進入し、これは図９及び図１１に示されるようであり、この時、凸部４４は制限部２２７を超過してロック溝２２５内に進入し、凸部４４は一旦ロック溝２２５に進入した後にロック溝２２５内に係止され、凸部４４の上面後側は制限部２２７の底端高さより高いため、凸部４４が一旦ロック溝２２５に進入すると、制限部２２７の阻止を受け、凸部４４が制限部２２７の外に脱出せず、最後にバレル５０がプランジャ５２と共にニードルユニット４０の後端より引き出され、図１２、１３に示されるように、ニードルユニット４０のニードルシート４２の凸部４４が制限部２２７にロックされ、ゆえに少し引っ張るだけでバレル５０を抜き取ることができ、これは図１３に示されるとおりである。こうして、抜き取られたバレルにはニードルユニット４０がなく、ニードルユニット４０の尖端４１ａがスリーブユニット内部に内蔵されて刺し傷を発生する恐れがなくなる。ゆえに、この過程中に、手で握持されるスリーブユニット２０の操作位置は終止ニードル４１の後方に位置し、ニードル４１の尖端４１ａを通らず、且つバレル５０抜き取り後にスリーブユニット２０と分離されて破棄される。これにより本発明の安全注射器は、完全に刺し傷とそれによるウイルス感染を防止でき、且つニードルの再利用不能であり、極めて安全性を具備する。ゆえに凸部４４が制限部２２７にロックされた後に、スリーブユニットとバレルが分離されて破棄される構造の特徴は、本発明の最も主要な特徴とされる。
【図面の簡単な説明】
【００１３】
【図１】本発明の実施例の立体図である。
【図２】本発明の実施例の立体分解図である。
【図３】本発明のニードルユニットの凸部の立体拡大図である。
【図４】図１の未使用状態の断面図である。
【図５】図１の断面図である。
【図６】図５の別の使用状態の断面図である。
【図７】本発明の実施例の第１の使用状態の操作説明図である。
【図８】本発明の実施例の第２の使用状態の操作説明図である。
【図９】本発明の実施例の第３の使用状態の操作説明図である。
【図１０】図８のＢ−Ｂ線断面動作図である。
【図１１】図９のＣ−Ｃ線断面動作図である。
【図１２】図９の使用状態終了時の断面図である。
【図１３】図１２の使用状態が終了してバレルが抜き取られた断面図である。
【符号の説明】
【００１４】
２０  スリーブユニット        ２１  管体          ２１Ｂ  開孔
２２０  滑り溝                ２２１  直向部      ２２１Ｒ  折り曲げ部
２２１Ｆ  ストッパ部          ２２２  横向部      ２２４  位置決め凹部
２２５  ロック溝              ２２７  制限部      ４０  ニードルユニット
４１  ニードル                ４１ａ  尖端        ４２  ニードルシート
４４  係止凸部                ４４１  上面        ４４２  底面
４４３  後端面                ４４４  前端面      ４４５  第１側面
４４６  第２側面              ５０  バレル        ５１  小径部
５２  プランジャ
【図１】
2006255272.tif 000003
【図２】
2006255272.tif 000004
【図３】
2006255272.tif 000005
【図４】
2006255272.tif 000006
【図５】
2006255272.tif 000007
【図６】
2006255272.tif 000008
【図７】
2006255272.tif 000009
【図８】
2006255272.tif 000010
【図９】
2006255272.tif 000011
【図１０】
2006255272.tif 000012
【図１１】
2006255272.tif 000013
【図１２】
2006255272.tif 000014
【図１３】
2006255272.tif 000015